(57)【要約】【課題】装飾具本体の左右に巻回具がなく、装飾効果の高いネクタイ装飾具を提供すること。【解決手段】ネクタイ５の前面に配される装飾具本体２と、装飾具本体２に貫通される紐体３と、紐体３に接続されネクタイの背面において固定される固定具４とを備えるネクタイ装飾具１を提供する。固定具４をネクタイ５のスモールチップ５３やシャツ６の前開部６１に固定することで、紐体３を介した装飾具本体２の位置を概ね固定することができる。なお、固定具４としては、ネクタイピンを小型化した止め具を用いることができる。【選択図】図１
2017109064.tif 000002
【特許請求の範囲】
【請求項１】
ネクタイ前面に配される装飾具本体と、
前記装飾具本体に貫通される紐体と、
前記紐体に接続され、前記ネクタイの背面において固定される固定具とを備えることを特徴とする、ネクタイ装飾具。
【請求項２】
前記固定具は、布体に係止される止め具であることを特徴とする、請求項１に記載のネクタイ装飾具。
【発明の詳細な説明】
【技術分野】
【０００１】
本発明は、ネクタイの結び目の周辺に装着されるネクタイ装飾具に関する。
【背景技術】
【０００２】
ネクタイの結び目の周辺に装着されるネクタイ装飾具が知られている。ネクタイのデザインに更に装飾を加えるものである。
【０００３】
例えば特許文献１には、ネクタイをねじった部分（ノット）に巻回して装着するネクタイ装飾具が開示されている。
【０００４】
しかし、特許文献１に開示されたるネクタイ装飾具は、巻回する部分によって装飾具本体を固定するため、巻回する部分が視認される。そうすると、装飾具本体による装飾の左右に装飾とは異なった巻回具が見えてしまうこととなり、装飾効果が薄れてしまうものであった。
【先行技術文献】
【特許文献】
【０００５】
【特許文献１】特開２０１０−０４２１９４号公報
【発明の概要】
【発明が解決しようとする課題】
【０００６】
本発明は、装飾具本体の左右に巻回具がなく、装飾効果の高いネクタイ装飾具を提供することを課題とする。
【課題を解決するための手段】
【０００７】
本発明のネクタイ装飾具は、
ネクタイ前面に配される装飾具本体と、
前記装飾具本体に貫通される紐体と、
前記紐体に接続され、前記ネクタイの背面において固定される固定具とを備えることを特徴とする。
【０００８】
この特徴によれば、固定具によって固定された箇所から、紐体を介して、装飾具が取り付けられる。紐体をノットに挿入して装着する（具体的な装着方法は後述実施例参照）ことにより、装飾具本体の左右に巻回具がなく、装飾効果の高いネクタイ装飾具が提供される。
【０００９】
本発明のネクタイ装飾具は、
前記固定具は、布体に係止される止め具であることを特徴とする。
【００１０】
この特徴によれば、容易な手順で固定具を布体（ネクタイのスモールチップ、シャツの前開部等）に固定することができる。
【発明の効果】
【００１１】
本発明によれば、装飾具本体の左右に巻回具がなく、装飾効果の高いネクタイ装飾具を提供することが可能となる。
【図面の簡単な説明】
【００１２】
【図１】図１は、ネクタイ装飾具の構成を示す図である。
【図２】図２は、ネクタイ装飾具を装着した状態を示す図である。
【発明を実施するための形態】
【００１３】
図１は、ネクタイ装飾具の構成を示す図である。ネクタイ装飾具１は、装飾具本体２、紐体３、及び固定具４を備えている。
【００１４】
装飾具本体２は、ネクタイ前面に配される主たる装飾部分である。図では十字形状で示しているが、星型、円型等の任意の形状でよく、球、立方体等の立体形状であってもよい。また、動物等を模した形状でもよい。宝石、ガラス玉等を付して装飾効果を高めてもよい。
【００１５】
装飾具本体２には、紐体３を貫通させるリング２１が備えられている。ただし、リング２１に替えて装飾具本体２に孔をあける等、任意の機構で紐体３を貫通させてよい。
【００１６】
紐体３は、装飾具本体２を垂下するための紐である。装飾効果を高めるため、紐体３は、透明で伸縮性を有するものであることが好ましい。例えば、シリコン製、ポリウレタン製のものが「透明ゴム」として知られている。紐体３は、視認されないように、直径が３ｍｍ以下の細いものであることが好ましい。又は、ネクタイに合わせてデザインし、ネクタイと同色（異色であっても、色合いや模様でネクタイと合うものであればよい）の紐体やチェーン等としてもよい。
【００１７】
固定具４は、ネクタイ前面以外の箇所に固定される器具である。ネクタイ後面のスモールチップやシャツの前開部の布体に固定されるものとすることができる。例えばネクタイピンを小型化した止め具とすれば、各種のもの（バネによるもの（図１（Ａ）参照）、針４１を受け具４２に貫通させるもの（図１（Ｂ）参照）、その他）が可能である。また、２つのマグネットとしてもよい。さらに、布体に固定せずボタン糸に掛けてボタンで係止するもの（図１（Ｃ）参照）、その他のものとしてもよい。
【００１８】
図２は、ネクタイ装飾具を装着した状態を示す図である。図２（Ａ）に正面視を示す。紐体３はノット５１に挿入され、ノット５１の下方のわずかな部分のみが視認される。装飾具本体２の左右に巻回具がなく、高い装飾効果を得ることができる。
【００１９】
図２（Ｂ１）〜図２（Ｂ３）に側面視を示す。図２（Ｂ１）〜図２（Ｂ３）に共通して、紐体３は、ノット５１に挿入され、装飾具本体２の側の端が前方（ブレード５２の側）に、固定具４の側の端が後方（スモールチップ５３の側）に、延出している。ノット５１を形成した後に紐体３をノット５１に通すこと、ノットの中央を形成して紐体３を配した後にノット５１の最前布を形成すること、その他の方法によって紐体３をノット５１に挿入することができる。ノット５１の具体的な結び方によってやりやすい方法を選択すればよい。
【００２０】
ネクタイ５の後方の固定具４を固定する。固定具がネクタイピンの形態であれば、スモールチップ５２に固定する（図２（Ｂ１）参照）ことや、シャツ６の前開部６１（ボタン６２の間の部分）に固定する（図２（Ｂ２）参照）ことができる。固定具４が図１（Ｃ）の示したボタン糸に掛けるものの場合には、図２（Ｂ３）のようにボタン糸に掛ける。
【００２１】
以上のように装着すると、固定具４から伸びて落下することがなく、ノット５１によって軽く止められた紐体３に、装飾具本体２が垂下される。装飾具本体２の左右に巻回具がなくとも、装飾具本体２の位置が概ね固定される。
【００２２】
また、ネクタイ５の前面からは、ネクタイ装飾具１のうち装飾具本体２及び紐体３（の一部）が視認される。紐体３を細くて透明なものとすれば、装飾具本体２のみがブレード５２に配されたように見える。また、紐体３を、チェーンリング等の装飾具本体と合わせた装飾効果を有するものとしてもよい。
【産業上の利用可能性】
【００２３】
装飾具本体の左右に巻回具がなく、装飾効果の高いネクタイ装飾具であり、多くの個人による利用が考えられる。
【符号の説明】
【００２４】
１    ネクタイ装飾具
２    装飾具本体
２１  リング
３    紐体
４    係止具
４１  針
４２  受け具
５    ネクタイ
５１  ノット
５２  ブレード
５３  スモールチップ
６    シャツ
６１  前開部
６２  ボタン
【図１】
2017109064.tif 000003
【図２】
2017109064.tif 000004